(57)【要約】  本発明は、スライド型携帯電話の固定プレートおよびスライドプレートに回動可能に締結され、前記固定プレートおよび前記スライドプレートに付勢力を加える伸縮可能なリンク組立体を提供する。前記リンク組立体は、リンクプレート、リンクフレームおよび複数のバネを含む。前記リンクプレートは、複数のバネを幅方向に沿って分離収容するために、一端から長手方向に延設された少なくとも一つのバネ収容孔を備える。前記リンクフレームは、前記バネ収容孔に挿入されてスライドできるように一端から延設された複数のバネ支持棒を幅方向に沿って備え、前記リンクプレートに取り外されないように結合する。前記バネは、一端が前記バネ収容孔に挿入され、他端には前記バネ支持棒が挿入される。
2010524323.tif 000002
【特許請求の範囲】
【請求項１】
複数のバネを幅方向に沿って分離収容するために、一端から長手方向に延設された少なくとも一つのバネ収容孔を備えるリンクプレートと、
前記バネ収容孔に挿入されてスライドできるように一端から延設された複数のバネ支持棒を幅方向に沿って備え、前記リンクプレートに取り外されないように結合したリンクフレームと、
前記バネ収容孔に挿入される一端、および前記バネ支持棒が挿入される他端を有する複数のバネとを含んでなることを特徴とする、伸縮可能なリンク組立体。
【請求項２】
前記リンクフレームは、前記バネ支持棒に平行であり、一端に突起が突設された少なくとも一つのガイド棒をさらに含み、
前記リンクプレートは、前記リンクフレームが取り外されないように前記ガイド棒の前記突起を拘束するための少なくとも一つの離脱防止部をさらに含むことを特徴とする、請求項１に記載の伸縮可能なリンク組立体。
【請求項３】
前記離脱防止部は、前記ガイド棒が挿入される案内孔であり、
前記案内孔は、前記リンクプレートの入り口に前記ガイド棒に係合される係止部を備えることを特徴とする、請求項２に記載の伸縮可能なリンク組立体。
【請求項４】
前記バネ収容孔は、前記リンクプレートの幅方向に沿って対称的に複数設けられることを特徴とする、請求項３に記載の伸縮可能なリンク組立体。
【請求項５】
前記ガイド棒は、前記リンクフレームの幅方向の両端にそれぞれ設けられ、
前記離脱防止部は、前記リンクプレートの幅方向の両端にそれぞれ設けられることを特徴とする、請求項４に記載の伸縮可能なリンク組立体。
【請求項６】
前記リンクプレートの他端は、その厚さが減少するように形成されるとともに、貫通孔が設けられており、
前記リンクフレームの他端は、その厚さが減少するように形成されるとともに、貫通孔が設けられていることを特徴とする、請求項１〜５のいずれか１項に記載の伸縮可能なリンク組立体。
【請求項７】
直線運動を案内するためのガイド部を備え、スライド型携帯電話本体の一方の面に固定される固定プレートと、前記固定プレートのガイド部に案内されて直線運動を行えるように拘束され、前記固定プレートに対向し、携帯電話カバーの一方の面に固定されるスライドプレートと、バネの伸縮および復元によって前記スライドプレートが前記固定プレートに対して直線運動を行うように、前記固定プレートおよび前記スライドプレートに回動可能に連結された伸縮可能なリンク組立体とを含んでなるスライド型携帯電話用スライダ組立体において、
前記リンク組立体は、
複数のバネを幅方向に沿って分離収容するために一端から長手方向に延設された少なくとも一つのバネ収容孔、および他端に設けられ、前記固定プレートと前記スライドプレートのいずれか一方に回動可能に固定されるための貫通孔を備えるリンクプレートと、
前記バネ収容孔に挿入されてスライドできるように一端から延設された複数のバネ支持棒を幅方向に沿って備え、前記固定プレートおよび前記スライドプレートのいずれか他方に回動可能に固定されるための貫通孔を備え、前記リンクプレートに取り外されないように結合したリンクフレームと、
前記バネ収容孔に挿入される一端、および前記バネ支持棒が挿入される他端を有する複数のバネとを含むことを特徴とする、スライド型携帯電話用スライダ組立体。
【請求項８】
前記リンクフレームは、前記バネ支持棒に平行であり、一端に突起が突設された少なくとも一つのガイド棒をさらに含み、
前記リンクプレートは、前記リンクフレームが取り外されないように前記ガイド棒の前記突起を拘束するための少なくとも一つの離脱防止部をさらに含むことを特徴とする、請求項７に記載のスライド型携帯電話用スライダ組立体。
【請求項９】
前記離脱防止部は、前記ガイド棒が挿入される案内孔であり、
前記案内孔は、前記リンクプレートの入り口に前記ガイド棒に係合される係止部を備えることを特徴とする、請求項８に記載のスライド型携帯電話用スライダ組立体。
【請求項１０】
前記バネ収容孔は、前記リンクプレートの幅方向に沿って対称的に複数設けられることを特徴とする、請求項９に記載のスライド型携帯電話用スライダ組立体。
【請求項１１】
前記ガイド棒は、前記リンクフレームの幅方向の両端にそれぞれ設けられ、
前記離脱防止部は、前記リンクプレートの幅方向の両端にそれぞれ設けられることを特徴とする、請求項１０に記載のスライド型携帯電話用スライダ組立体。
【請求項１２】
前記リンクプレートの他端は、その厚さが減少するように形成され、
前記リンクフレームの他端は、その厚さが減少するように形成されることを特徴とする、請求項７〜１１のいずれか１項に記載のスライド型携帯電話用スライダ組立体。
【発明の詳細な説明】
【技術分野】
【０００１】
本発明は、バネを備えた伸縮可能なリンク組立体およびこれを備えたスライド型携帯電話用スライダ組立体に係り、さらに詳しくは、携帯電話をスリム化することができる薄型のリンク組立体およびこれを備えたスライド組立体に関する。
【背景技術】
【０００２】
図５には、韓国実用新案登録第２０−０３６３２９５号公報に開示された、一対のリンクプレートを備えた従来のスライド型携帯電話用スライダ組立体に用いられるリンク組立体が示されている。図５に示したリンク組立体３００は、従来のスライド型携帯電話のスライドプレートのアップ／ダウン状態を維持するために採用されていたトーションバネの代わりに、一対のリンクプレート３１０と一対の引張バネ３２０を用いて耐久性を増大させたものである。一対のリンクプレート３１０は、同一形状を有し、相互スライド可能に案内溝３１２に挿入された案内突起３１３で拘束されており、リンクプレート３１０の端部に設けられたバネ係止部３１４に一対の引張バネ３２０が係止されている。それぞれのリンクプレート３１０は、貫通孔を有するヒンジ部３１１が固定プレートまたはスライドプレートにそれぞれ回動可能にピンで固定される。
【０００３】
上述した構成を持つ従来のリンク組立体３００は、リンクプレート３１０のバネ係止部３１４が細長くて撓み易く且つ弱い強度のため加工し難いという問題点がある。また、リンクプレート３１０をスライド可能に拘束するために別途の部品、例えば案内突起３１３などが必要であることに加え、引張バネの端部に設けられた環状輪をバネ係止部３１４に係止して組み立てるから、組立が難しい。また、それぞれのリンクプレート３１０のバネ係止部３１４に係止された環状輪が移動する場合、携帯電話のフレキシブル基板（ＦＰＣＢ）と干渉して損傷を与える。特に、引張バネ３２０の環状輪が大きいため、リンク組立体の厚さが厚くなって携帯電話をスリム化することができないという問題点がある。
【先行技術文献】
【特許文献】
【０００４】
【特許文献１】韓国実用新案登録第２０−０３６３２９５号公報
【発明の概要】
【発明が解決しようとする課題】
【０００５】
本発明の目的は、前述した従来の問題点を解決することが可能なリンク組立体、および前記リンク組立体を備えたスライド型携帯電話用スライダ組立体を提供することにある。
【０００６】
本発明の他の目的は、バネとリンクプレートとの結合構造を改善することにより加工が容易でスリム化が実現されたリンク組立体、およびこれを備えたスライド型携帯電話用スライダ組立体を提供することにある。
【課題を解決するための手段】
【０００７】
本発明のある観点によれば、複数のバネを幅方向に沿って分離収容するために、一端から長手方向に延設された少なくとも一つのバネ収容孔を備えるリンクプレートと、前記バネ収容孔に挿入されてスライドできるように一端から延設された複数のバネ支持棒を幅方向に沿って備え、前記リンクプレートに取り外されないように結合したリンクフレームと、前記バネ収容孔に挿入される一端、および前記バネ支持棒が挿入される他端を有する複数のバネとを含んでなる、伸縮可能なリンク組立体を提供する。
【０００８】
本発明の他の観点によれば、直線運動を案内するためのガイド部を備え、スライド型携帯電話本体の一方の面に固定される固定プレートと、前記固定プレートのガイド部に案内されて直線運動を行えるように拘束され、前記固定プレートに対向し、携帯電話カバーの一方の面に固定されるためのスライドプレートと、バネの伸縮および復元によって前記スライドプレートが前記固定プレートに対して直線運動を行うように、前記固定プレートおよび前記スライドプレートに回動可能に連結された伸縮可能なリンク組立体とを含んでなるスライド型携帯電話用スライダ組立体において、
前記リンク組立体は、
複数のバネを幅方向に沿って分離収容するために一端から長手方向に延設された少なくとも一つのバネ収容孔、および他端に設けられ、前記固定プレートと前記スライドプレートのいずれか一方に回動可能に固定されるための貫通孔を備えるリンクプレートと、
前記バネ収容孔に挿入されてスライドできるように一端から延設された複数のバネ支持棒を幅方向に沿って備え、前記固定プレートおよび前記スライドプレートのいずれか他方に回動可能に固定されるための貫通孔を備え、前記リンクプレートに取り外されないように結合したリンクフレームと、
前記バネ収容孔に挿入される一端、および前記バネ支持棒が挿入される他端を有する複数のバネとを含む、スライド型携帯電話用スライダ組立体を提供する。
【発明の効果】
【０００９】
本発明は、圧縮バネを使用するリンク組立体を提供することにより、バネ係止部を必要としない。よって、本発明によれば、リンク組立体を簡単な射出成形によって製造することができるので、リンク組立体を容易に加工することができる。
【００１０】
また、本発明によれば、スライダ組立体に締結されるリンク組立体の締結部の構造を改善することにより、スライダ組立体の厚さを減らすことができる。よって、スライド型携帯電話を一層スリム化させることができる。
【図面の簡単な説明】
【００１１】
【図１】図１は、本発明の一実施例に係るリンク組立体を示す斜視図である。
【図２】図２は、図１に示したリンク組立体の分解斜視図である。
【図３】図３は、図１のリンク組立体を備えた携帯電話用スライダ組立体を示す分解斜視図である。
【図４】図４Ａ、図４Ｂおよび図４Ｃは、図３に示したスライダ組立体の作動状態を示す説明図である。
【図５】図５は、従来のリンク組立体を示す斜視図である。
【発明を実施するための形態】
【００１２】
以下に添付図面を参照しながら、本発明に係るリンク組立体およびこれを備えたスライダ組立体の好適な実施例について詳細に説明する。
【００１３】
まず、リンク組立体について説明する。図１は本発明の一実施例に係るリンク組立体を示す斜視図、図２は図１に示したリンク組立体の分解斜視図である。
【００１４】
図１および図２を参照すると、リンク組立体４０はリンクプレート１０、リンクフレーム２０および複数のバネ３０を含む。リンクプレート１０は、案内孔１、バネ収容孔３および貫通孔７を含む。
【００１５】
バネ収容孔３は、複数のバネ３０を分離して収容するための孔である。バネ収容孔３はリンクプレート１０の一端から長手方向に延設され、幅方向に対称的に複数個が配列される。すなわち、それぞれのバネ収容孔３にそれぞれのバネ３０が収容される。本実施例では、バネ３０の数に相応する数のバネ収容孔３が設けられている。ところが、複数のバネ３０を収容することが可能な幅を有する一つのバネ収容孔３をリンクプレート１０の一端から長手方向に延設してもよい。この場合、前記バネ収容孔３の内部に長手方向に沿って設けられた複数の突条が幅方向に備えられると、それぞれのバネ３０は分離収容できる。
【００１６】
案内孔１は、リンクプレート１０の幅方向の両側の内面に長手方向を沿って設けられる。また、案内孔１の入り口には、後述のガイド棒１１が挿入されて取り外されないように、ガイド棒１１の突起１２に係合される係止部２が設けられる。
【００１７】
一方、リンクプレート１０の他端の一方の面（固定ピン１１５が貫通孔７に挿入される側の面）は、リングプレート１０の厚さが減少するように、没している。前記リンクプレート１０の他端には貫通孔７が設けられる。すなわち、リンクプレート１０の他端の厚さは一端の厚さより薄い。貫通孔７は、リンク組立体４０をスライダ組立体に締結させるために、後述の固定ピン１１５が挿入される孔である。固定ピン１１５のヘッド部が一定の厚さを有するので、スライダ組立体の厚さを薄くするために、固定ピン１１５と締結されるリンクプレート１０の他端の厚さが減少される。
【００１８】
リンクフレーム２０は、バネ支持棒１３、ガイド棒１１および貫通孔１７を含む。バネ支持棒１３は、リンクフレーム２０の一端から長手方向に延設され、それぞれのバネ収容孔３に挿入されてスライドできるように複数個が幅方向に並列に配置される。
【００１９】
ガイド棒１１は、案内孔１に挿入されるようにリンクフレーム２０の幅方向の両端に形成される。また、ガイド棒１１の一端には、リンクプレート１０の案内孔１の係止部２に係合される突起１２が設けられる。よって、リンクフレーム２０は、ガイド棒１１が案内孔１に案内されてリンクプレート１０に沿ってスライドを行うことができる。この際、バネ支持棒１３はバネ収容孔３内でスライドを行う。ところが、前記バネ支持棒１３が前記バネ収容孔３に対して挿出される方向にリンクフレーム２０がスライドされると、ガイド棒１１の突起１２が案内孔１の係止部２に係止されることにより、リンクフレーム２０がリンクプレート１０から取り外されることを防止する。
【００２０】
リンクフレーム２０の他端の一方の面（固定ピン１０５が貫通孔１７に挿入される側の面）は、前記リンクフレーム２０の厚さが減少するように、没している。すなわち、リンクフレーム２０の他端の厚さは一端の厚さより薄い。前記リンクフレーム２０の他端には貫通孔１７が設けられる。貫通孔１７は、リンク組立体４０をスライダ組立体に締結させるために後述の固定ピン１０５が挿入される孔である。また、リンクフレーム２０の貫通孔１７に固定ピン１０５が挿入される方向は、リンクプレート１０の貫通孔７に固定ピン１１５が挿入される方向とは反対である。よって、固定ピン１０５、１１５がそれぞれの貫通孔７、１７に挿入された場合、スライダ組立体の厚さを減らすためには、リンクフレーム２０の他端の一方の面とリンクプレート１０の他端の一方の面とは、互いに反対側に配置されていなければならない。このため、リンクプレート１０の他端の厚さが減少されたので、リンクフレーム２０の他端もリンクプレート１０の他端の厚さと同様に減少されなければならない。
【００２１】
バネ３０は、リンクプレート１０のバネ収容孔３に収容される。前記バネ３０にはリンクフレーム２０のバネ支持棒１３が挿入される。すなわち、バネ３０の一端２３はバネ収容孔３に挿入され、バネ３０の他端２１にはバネ支持棒１３が挿入される。よって、リンクプレート１０およびリンクフレーム２０のそれぞれの他端からお互い相手を向かうように力を加えると、バネ３０が圧縮されながら、リンクフレーム２０はリンクプレート１０に向かってスライドされる。また、前記力を除去（開放）すると、バネ３０の圧力（復元力）によって、リンクフレーム２０はリンクプレート１０に対して反対の方向にスライドして本来の位置に復帰する。
【００２２】
次に、スライダ組立体について説明する。図３は、図１のリンク組立体を備えた携帯電話用スライダ組立体を示す分解斜視図、図４Ａ、図４Ｂおよび図４Ｃは、図３に示したスライダ組立体の作動状態を示す説明図である。
【００２３】
図３を参照すると、スライダ組立体は、固定プレート１１０、スライドプレート１２０、およびリンク組立体４０を含む。固定プレート１１０は、スライド型携帯電話本体の一面（前面）に固定され、その両側に形成されたガイド部１０１を備える。
【００２４】
スライドプレート１２０は、前記本体の対向面であるスライド型携帯電話カバーの一面（背面）に固定される。スライドプレート１２０は、ガイド部１０１に沿ってスライドを行えるように、その両側に形成されたスライダ部１１１を備える。よって、スライドプレート１２０は、固定プレート１１０のガイド部１０１に案内されて直線運動を行う。
【００２５】
リンク組立体４０は図１に示した実施例である。リンクフレーム２０は貫通孔１７に固定ピン１０５が挿入され、固定プレート１１０に回動可能に締結される。同様に、リンクプレート１０は貫通孔７に固定ピン１１５が挿入され、スライドプレート１２０に回動可能に締結される。
【００２６】
よって、図４Ａに示すように、矢印１２１の方向にスライドプレート１２０に力を加えると、スライドプレート１２０は、固定プレート１１０に沿って矢印１２１の方向にスライドされる。この際、バネ３０は収縮し、復元力はバネ３０に蓄えられる。図４Ｂで説明された位置までスライドプレート１２０を移動させると、バネ３０は最小サイズに収縮し、復元力は最大にバネ３０に蓄えられる。したがって、スライドプレート１２０に若干の力を加えると、スライドプレート１２０は図４Ｃのようにバネ３０の復元力によって矢印１２３の方向に移動する。このため、図３に示した実施例をスライド型携帯電話に適用することができる。
【００２７】
前述および図示した本発明の一実施例は、本発明の技術的思想を限定するものと解釈されてはならない。本発明の保護範囲は請求の範囲に記載された事項によってのみ制限され、本発明の技術分野における通常の知識を有する者は本発明の技術的思想を多様な形態に改良変更することが可能である。よって、このような改良および変更は、通常の知識を有する者に自明なことである限り、本発明の保護範囲に属するであろう。
【産業上の利用可能性】
【００２８】
本発明のリンク組立体およびこれを備えたスライダ組立体は、スライド型携帯電話に有利に適用可能である。
【図１】
2010524323.tif 000003
【図２】
2010524323.tif 000004
【図３】
2010524323.tif 000005
【図４】
2010524323.tif 000006
【図５】
2010524323.tif 000007
【国際調査報告】
2010524323.tif 000008
2010524323.tif 000009